Podtech/llm-jp-corpus-v4-ja_patent huggingface dataset:
(57)【要約】【課題】従来は人が亡くなった場合、その家族が悲しみの中、親族や友人、関係者へ葬儀案内等を連絡し、死後の手続き等をしなければならない。しかし、故人の人間関係を把握していない場合は連絡が困難となり、煩雑な手続きはご遺族の心身的な負担が大きい。【解決手段】故人が事前に登録した葬儀や相続に関する指示データをクラウド系サーバに保管し、その家族が葬儀情報を入力することによって、自動的に故人が指示した葬儀連絡先へ葬儀情報が送信され、死後の手続き方法等をご遺族に電子メールにて知らせることが出来るシステムである。【選択図】図１
2012152527.tif 000002
【特許請求の範囲】
【請求項１】
登録者が葬儀情報をクラウド系サーバに登録者専用ＩＤとパスワードにてログインし、データ入力して期限を指定せずに保存出来るシステム。
【請求項２】
登録者の死後、ご遺族がクラウド系サーバへ家族専用ＩＤやパスワードでログインし、葬儀情報を入力することによって事前に登録されている故人の指示がクラウド系サーバから、自動的に実行されるシステム。
【発明の詳細な説明】
【技術分野】
【０００１】  この発明は、事前に故人が登録した情報を基に親族や友人、関係者へ葬儀関連情報等を電子メールにて自動的に代行するシステムに関する。
【背景技術】
【０００２】  従来は人が亡くなった場合、その家族が悲しみの中、親族や友人、関係者へ葬儀案内等を連絡しなければならない。しかし、故人の人間関係を把握していない場合は連絡が困難となる。
【発明の概要】
【発明が解決しようとする課題】
【０００３】  しかしながら、従来の連絡方法によれば、家族への負担も重く、故人が望んでいる関係者へタイムリーに連絡がなされない場合が多かった。
そこで、この発明は、悲しみの中での家族への負担を軽減し、さらに故人の遺志を尊重することを課題とする。
【課題を解決するための手段】
【０００４】  以上の課題を解決するために、故人が事前に登録した葬儀や相続に関する指示データをクラウド系サーバに保管し、その家族が葬儀情報を入力することによって、自動的に故人が指示した内容を電子メールにて実施するシステムである。
【発明の効果】
【０００５】  この発明によれば、故人が生前に登録した情報に基づき葬儀案内等をタイムリーかつ自動で電子メールにて実施するため、故人の遺志を尊重できる。また操作が容易なことからその家族の心身の負担も軽減することができる。
【図面の簡単な説明】
【０００６】
【図１】この発明の一実施形態を示すシステム構成図である。
【発明を実施するための形態】
【０００７】  この発明の一実施形態を、図１に示す。
登録者が生前にご遺族へ伝えたい情報や葬儀の案内を送りたい親族や友人、関係者の連絡データをクラウド系サーバに登録者専用ＩＤとパスワードにてログインして入力する。事前に登録するデータとしては、遺族への伝言、お墓と仏壇の要望、法事の有無、相続について、死後の手続き方法、葬儀の要望（葬儀形態・宗派等）、葬儀案内の連絡先（メールアドレスや電話番号等）である。
データ入力後、登録者は家族にクラウド系サーバの家族専用ログインＩＤやパスワードを伝える必要がある。登録者の死後、ご遺族がクラウド系サーバへ家族専用ＩＤとパスワードでログインし葬儀情報を入力することによって、事前に登録されている故人の指示がクラウド系サーバからご遺族へ届く。またメール送信を指定された連絡先へ、葬儀情報が自動的に送信される。
「実施形態の効果」
【０００８】  この実施形態によれば、予期しない家族の死亡に対して、悲しみの中での煩雑な連絡や手続き等による家族への負担を軽減し、さらに葬儀の要望や連絡先等、故人の遺志を尊重することが出来る。又クラウド系サーバへご遺族がログインすることによって、故人に替わりタイムリーな葬儀連絡を伝えることやご遺族へのメッセージも受け取ることが出来る。
【図１】
2012152527.tif 000003
(57)【要約】【課題】針の残量が少なくなった事をＬＥＤ電球（１１）の点滅により知らせるホッチキスを提供する．【解決手段】ハンドル（０２）の内部にＬＥＤ電球（１１）とリチウム電池（１２）を内蔵し針が少なくなるとＬＥＤ電球（１１）が、点滅して知らせることを特徴とする。【選択図】図１
2012152886.tif 000002
【特許請求の範囲】
【請求項１】
少なくともステップルマガジン（０３）とハンドル（０２）とをベース（０１）の後端部で、回動可能に軸着してなるホッチキスにおいて
（イ）ハンドル（０２）の内部にＬＥＤ電球（１１）を設ける。電球の先端部の光は外側から確認できる様に穴を開ける。
（ロ）ハンドル（０２）の内部にリチウム電池（１２）を内蔵する。電池はホッチキス本体（鉄）部に（−）極が接触する様に押えてキャップ（１４）をする。電流は本体を通し、ステップルプッシャ（０４）まで流れる様にする。
（ハ）ＬＥＤ電球（１１）と接触片（１３）は被膜電線で結線する。又、点滅する様途中にＩＣ回路（１５）を設ける。
（二）接触片（１３）はホッチキス本体（鉄）部に電流が流れないように、絶縁体で被いドライバホルダー（０６）に取付ける。調整式にする。
（ホ）ステップル（０７）が残り４〜６個になるとステップルプッシャ（導体）（０４）が接触片（１３）に接触してＬＥＤ電球（１１）が点滅する。
以上の構成よりなる針切れお知らせホッチキス。
【発明の詳細な説明】
【技術分野】
【０００１】この発明は、ホッチキスのハンドル（０２）部にＬＥＤ電球（１１）を設け針の残量が少なくなるとＬＥＤ電球（１１）が、点滅し知らせてくれるものである。
【背景技術】
【０００２】従来、ステップルマガジン（０３）の両面に穴が開いていて針の残量が外から見ることが出来るようになっていた。
【発明の開示】
【発明が解決しようとする課題】
【０００３】従来、針が無くなっても気がつくことがなく、空打ちしてはじめて針が無いことに気付き悔しい思いをしながら針を補給して作業を中断する事が多かった。本発明は以上のような欠点をなくす為になされたものである。
【課題を解決するための手段】
【０００４】ハンドル（０２）の内部にＬＥＤ電球（１１）とリチウム電池（１２）を内蔵しドライバホルダー（０６）部に接触片（１３）を取付る。本発明は以上の構成よりなる。針の残量を知らせる。ＬＥＤ電球（１１）つきホッチキスである。
【発明の効果】
【０００５】針が無くなる前に視覚的に知らせてくれるので、悔しい思いもしなくてすむし急いでいる時など、あわてなく作業をすることが出来る。
【発明を実施する為の最良の形態】
【０００６】以下、本発明を実施する為の最良の形態について説明する。
ハンドル（０２）の内部にＬＥＤ電球（１１）とリチウム電池（１２）を設ける。リチウム電池（１２）は、ホッチキス本体（鉄）に（−）極を接触させて取付ける。ＬＥＤ電球（１１）とリチウム電池（１２）の（＋）極をつなぐ。ＬＥＤ電球（１１）の他の一端を接触片（１３）と被膜電線で結線する。点滅する様に途中にＩＣ回路（１５）を設ける。接触片（１３）は、ドライバホルダー（０６）に取付ける。本発明は以上のような構造である。針が、４〜６個になるとステップルプッシャ（０４）と接触片（１３）が接触して、電流が流れＬＥＤ電球（１１）が点滅する。
【図面の簡単な説明】
【０００７】
【図１】本発明の断面図
【図２】本発明の正面外観図
【図３】本発明のＬＥＤ電球部断面図
【図４】本発明のリチウム電池部断面図
【図５】本発明の配線図
【符号の説明】
【０００８】０１        ベース
０２        ハンドル
０３        ステップルマガジン
０４        ステップルプッシャ
０５        ドライバ
０６        ドライバホルダー
０７        ステップル
１１        ＬＥＤ電球
１２        リチウム電池
１３        接触片
１４        電池交換用キャップ
１５        点滅用ＩＣ回路
【図１】
2012152886.tif 000003
【図２】
2012152886.tif 000004
【図３】
2012152886.tif 000005
【図４】
2012152886.tif 000006
【図５】
2012152886.tif 000007
(57)【要約】      （修正有）【課題】合成樹脂製品の油脂汚れを、綺麗に洗い落せる洗浄器具を提供する。【解決手段】樹脂系素材のキッチン用品は、洗浄時に従来の一般的なスポンジ類を使っていると、“油汚れ”が落ちにくく、表面に残渣が残ってしまう。（例：プラスチック容器・樹脂コーティング鍋等）特に油汚れ酷い物を連続してスポンジで洗っていると、洗剤の泡は残っていても水で洗い流したあとに、表面に油の層が残る。この主たる原因は、スポンジ類は油脂類との親和性が高いため、洗浄対象物に付着している油脂類を、多孔質の素材内部に取り込んでしまい、洗い終わった所にそれを再付着させるためである。洗剤を点けて使用する、台所用品の洗浄に使う器具の主な素材に、“紙”“綿”等、非合成樹脂系の繊維を使用する。また、主となる素材の耐久性を増し、汚れを擦り落とし易くするために、外側に用途に応じた”網“を装備する。【選択図】図３
2012152260.tif 000002
【特許請求の範囲】
【請求項１】
本体に、紙・綿等の、非合成樹脂系の繊維素材を使用した、キッチンの汚れ物を洗浄する、市販の洗剤で使用する洗浄器具。
【請求項２】
本体の補強や、汚れ落としの性能を上げる目的で、外側に網を備えた、請求項目１の洗浄器具。
【発明の詳細な説明】
【技術分野】
【０００１】
本発明は、特にプラスチック等合成樹脂系製品の、油脂汚れに対して有効な洗浄性を持つ、紙等の非合成樹脂系製品を主とする食器洗浄器具である。
【背景技術】
【０００２】
従来、台所の食器・器具類の洗浄に使う物は、その大半の素材が、スポンジやナイロン等の“合成樹脂系素材”でできている。
【先行技術文献】
【特許文献】
【０００３】
該当する特許文献は確認できなかった。
【発明の概要】
【発明が解決しようとする課題】
【０００４】
樹脂系素材のキッチン用品は、どんな洗剤を使っても“油汚れ”が落ちにくく、時として表面に“ヌルッ”とした手応えが残ってしまう。（例：プラスチック容器・プラスチック製調理器具・樹脂コーティング鍋・鍋の柄  等）
油汚れの物を連続してスポンジで洗っていると、その傾向はどんどん酷くなり、洗剤の泡は残っていても、水で洗い流したあとに表面が油の層で“てかてか”している事が多かった。
この主たる原因は、洗浄に使うスポンジ類と油脂類との親和性が高いため、洗浄対象物に付着している油脂類を、多孔質のスポンジ素材内部に大量に取り込んでしまい、一度洗い終わった所にそれを再付着させるためである。
この傾向は、油汚れに強いとされる洗剤でも大きな有意差が無い。
本発明は、以上の問題点を解決するためになされたものである。
【課題を解決するための手段】
【０００５】
洗剤を付けて使用する、台所用品の洗浄に使う器具の主な素材に、“紙”“綿”等、非合成樹脂系の繊維を使用する。
また、主となる素材の耐久性を増し、汚れを擦り落とし易くするために、外側に用途に応じた”網“を装備した物も同時に考案した。
【発明の効果】
【０００６】
器具の本体に、油脂類に対する親和性が高い“スポンジ”を使わず、非合成樹脂系の繊維“紙””綿“などを使用する事により、洗浄対象物への油脂の再付着を防ぐ。
そして器具本体を、多孔質なスポンジから、繊維質の物にする事によって、器具内部に油脂を取り込む可能性を下げ、繊維間に含む充分な洗剤と水によって、油脂の乳化を促進し、容易に水で流れる状態にする事ができる。
そのため洗浄対象物への油脂の再付着を防ぎ、残渣の無い洗い上がりを実現し、洗い直しが殆ど不要なため洗剤の使用量も減り、経済的かつ環境にもやさしい。
またこれなら、
“おしぼり”“ふきん”等に利用した後の再利用と言う形で使え、また天然素材で構成されるため、廃棄物という観点でも環境にやさしい。
ただ従来のスポンジ等より素材の強度が弱く、こびり付いた汚れを擦ると破損するため、こびり付きを擦り落とす機能と、破損を防ぐ機能を兼ね備えた網を装備したタイプも創り、太さ・材質・形状を、対象物の状況（汚れの種類・こびり付きの度合い等）に応じて複数用意する。
【図面の簡単な説明】
【０００７】
【図１】本発明主要部分の斜視図
【図２】本発明主要部分の、別製法の斜視図
【図３】本発明の、補強及び性能付加した物の概念図
【図４】本発明の、補強及び性能付加した細かい網の概念図
【図５】本発明の、補強及び性能付加した太い網の概念図
【発明を実施するための形態】
【０００８】
以下、本発明の実施の形態を説明する。
（イ）使い易い大きさと、洗剤と油脂との乳化を促進するために必要なある程度の厚さを持つ、図１の様な非合成樹脂製（紙・綿など）の本体（１）を一体形成する。
（ロ）別製法として、一体形成せずに非合成樹脂製（紙・綿など）の薄いシート状の物を重ねて、図２の（２）の様に全周囲や一部を圧着や接着する事によって、乳化促進に必要な厚さを作る。
（ハ）（イ）や（ロ）の状態は、油脂の汚れを落とすのには最適だが、素材の強度に問題があり、こびり付いた汚れを落とせない。一方この形態なら、１次的におしぼりやダスターとしては使い易く、その後で洗浄器具として使える利点を有する。そのため図３（３）の様に全体に網を被せ、補強したタイプを同時に考案した。網の口は（４）の様に溶着・圧着・縫製などで閉じ、使い易い構造にする。また全体をキルティング状に縫製する方法も考えられる。
（ニ）図４・図５は用途別の網タイプの一例を示す。（５）は細い繊維を使ったストッキング状の素材を意味し、あまり硬くならないので一般的な食器洗浄に適し、老朽化してきたらレンジやグリル内部の清掃などに利用してから廃棄するタイプ。（６）は太い繊維で５mm角程度の網を意味し、鍋などの多少こびり付いた汚れを、同時に擦り落とすのに優れ、老朽化してきたらオーブンやレンジフードなどしつこい汚れ落としに適するタイプ。このように、用途別で様々なタイプの網が考えられるが、何れにしても（１）の乳化を促進する機能を損なわず、合成樹脂や塗装などの表面に、あまりダメージを与えない物を使用する。
【符号の説明】
【０００９】
１本体、２圧着・接着など、３網、４溶着・圧着など、５網タイプ１（ストッキングタイプ）、６網タイプ２（こびり付き用タイプ）  
【図１】
2012152260.tif 000003
【図２】
2012152260.tif 000004
【図３】
2012152260.tif 000005
【図４】
2012152260.tif 000006
【図５】
2012152260.tif 000007
(57)【要約】      （修正有）【課題】折りたたみミニカート（キャリーカート）は、ミニとしての機能が十分に発揮出来ていない。段差を乗り越える場合に荷物が不安定である。スーツを着用してミニカートを使うには、ファッション性に欠ける。小型ロッカーに、ミニカートと荷物を収納することが出来ない。【解決手段】小型ロッカーに収納出来るサイズのバッグを、ファッション性のあるデザインで作成する。折りたたみミニカートに、バッグを脱着出来るようにする。【選択図】図１
2012152419.tif 000002
【特許請求の範囲】
【請求項１】
市販の折りたたみミニカート（キャリーカート）に取り外し可能なバッグを取り付ける。
【請求項２】
請求項１の折りたたみミニカートを、取り外し可能なバッグにも収納出来る。
【請求項３】
請求項２の収納したミニカートを、手提げ又はショルダーベルトで肩に架けて、持ち運べる。
【発明の詳細な説明】
【技術分野】
【０００１】
本発明は、取り外し可能バッグ付きミニカート（キャリーカート）に関するものである。
【背景技術】
【０００２】
従来のミニカートは本体のみで、取り外し可能なバッグが付いていない。
【発明の概要】
【発明が解決しようとする課題】
【０００３】
ミニカートには、ミニとしての機能が十分に発揮されていない。
【０００４】
ミニカートには、付属のゴムベルトで荷物を固定するようになっているが、安定感がなく不安定である。
【０００５】
ミニカートは荷物の運搬機能のみで、ファッション性が無い。
【０００６】
市販のバッグ付きトラベルキャリーカートは、小型ロッカーに収納が出来ない。
【０００７】
本発明は、これらの問題点を解決するためになされたものである。
【課題を解決するための手段】
【０００８】
市販のミニカートに、取り外し可能なファッション性のあるバッグを取り付ける。
【０００９】
用途に合わせて、防水性生地、一般生地でバッグを作成する。
【００１０】
バッグの大きさは、ミニカートに合わせたサイズとする。
【００１１】
バッグは、ミニカートに容易に脱着可能な構造とする。
【００１２】
ミニカートを折りたたんで、バッグに収納して持ち運ぶことも可能な機能を付加する。
【発明の効果】
【００１３】
バッグを取り外してロッカーに収納可能とする。
【００１４】
ファッション性があり、軽くて通常のキャリーカートより小回りが利く。
【００１５】
バッグを取り外して、バッグにミニカートを収納して持ち運びが出来る。                                                                        
【００１６】
バッグの内側に内ポケットを付ける。
【図面の簡単な説明】
【００１７】
【図１】本発明の実施形態を示すバッグの正面斜め図
【図２】同バッグの後方から見た外観斜め図
【図３】同バッグのショルダー用ベルト図
【図４】ミニカートに取り付けた外観図
【発明を実施するための形態】
【００１８】
以下、本発明の実施の形態を図１〜図４に基づいて説明する。                                                                                                                                              
【００１９】
ミニカート（キャリーカート）は、折りたたみが出来る市販のものを使用する。
【００２０】
バッグの生地は、ファッション性を考慮した種類を取り揃える。
【００２１】
図１の１は、両開きファスナーで開閉する開口部である。
【００２２】
図１の２は、手提げ部分で長さ調整可能で収納した状態である。実サイズは、ミニカート（キャリーカート）のサイズに合わせる。図１のサイズの一例は、幅２８ｃｍ、高さ３４ｃｍ、奥行き２０ｃｍ、重量２．７ｋｇである。
【００２３】
図１の３の実サイズは、ミニカート（キャリーカート）のサイズに合わせる。一例は、幅２０ｃｍ、高さ２０ｃｍで、生地の幅は２３ｃｍ位を使用しポケットの機能を持たせる。
【００２４】
図２の４は、ショルダー用丸カンである。
【００２５】
図２の５は、ミニカートに取り付けるための機能部である。実サイズは、ミニカート（キャリーカート）のサイズに合わせる。一例は、幅２５ｃｍ、高さ２９ｃｍであり、カートを挿入する幅で、生地を両サイドとも縫い付ける。
【符号の説明】
【００２６】
１  両開きファスナー
２  収納可能手提げ持ち手
３  両サイドにポケット
４  ショルダー用ベルト留具
５  カートに取り付ける部分    
【図１】
2012152419.tif 000003
【図２】
2012152419.tif 000004
【図３】
2012152419.tif 000005
【図４】
2012152419.tif 000006
(57)【要約】【課題】従来の逆浸透膜を利用した海水淡水化装置は、一定の圧力を海水に与えるために電気が必要不可欠であった。本発明では電気を一切使用せず、一定の圧力を海水の入った袋にかける事でカーボンフィルター、逆浸透膜を通過させ真水を得ることを課題とする。【解決手段】海水がカーボンフィルター、逆浸透膜を通過するにはある程度の一定圧力を海水にかける必要がある。そこで耐圧ビニール袋に海水を入れ、スクリューキャップと圧縮コイルバネの力を利用し手動で簡単に袋に圧をかける事ができ、海水が逆浸透膜を通過出来る。これにより真水を得ることが出来るようになる。【選択図】図１
2012152728.tif 000002
【特許請求の範囲】
【請求項１】
逆浸透膜を用いたろ過処理によって海水を淡水化する。海水淡水化方法にあって電力を使用せずスクリューキャップと圧縮コイルバネを用いて均一の圧力をかけて海水をろ過する海水淡水化装置。
【請求項２】
前記に記載した電力を用いないで均一の圧力をかける方法においてプラスチック製の耐圧袋に海水を入れる事により、バネの圧力を均一に受けて海水が逆浸透膜を通水することによる海水淡水化装置。
【請求項３】
電力を用いないで海水を淡水化する海水淡水化装置であって持ち運びと設置、利用が簡便な蛇口付き硬化プラスチックを使用した海水淡水化装置。
【請求項４】
逆浸透膜で海水をろ過する前に、安価なカーボンブロックで海水をろ過することによりミネラルと塩分以外の不純物を取り除くことで逆浸透膜のフィルターを長持ちさせ長期間使用できる海水淡水化装置。
【発明の詳細な説明】
【技術分野】
【０００１】本発明は電気を使わずに均一の圧力をかけることにより、海水が逆浸透膜を通して、ろ過されることに関するものである。
【背景技術】
【０００２】海水から淡水を得る海水淡水化の方法としては蒸発法、逆浸透膜法、電気透析法等様々な種類がある。【０００３】近年では費用対効果の面から逆浸透膜を利用した方法が広く用いられるようになってきた。
逆浸透膜で海水をろ過することにより安定的に淡水を得ることが出来るが逆浸透膜は非常に細かいメンブレン（膜）である為にそれに通水する為には電力によるポンプで圧力をかけるのが一般的である。【０００４】本発明は、電力を用いないで海水を逆浸透膜に通水させる海水淡水化方法である。【０００５】海水が逆浸透膜を通過する事により、そこに含まれる塩分やミネラル、その他不純物を９９．９％除去する事が出来る。【０００６】耐圧袋に海水を入れて、それに圧力をかける事により海水が逆浸透膜を通過できるようになる。【０００７】圧縮コイルバネを使用することにより、均一の圧力を耐圧袋にかけることが出来る。
【発明の概要】
【発明が解決しようとする課題】
【０００８】逆浸透膜は極微細孔なので、ある程度の圧力をかけないと通水させることが出来ず、そのため電力を使用してのポンプを必要とし、電力を供給できない所では逆浸透膜型の浄水器を利用することが困難であった。【０００９】本発明では電力を使用せずに均一の水圧をかける事が出来、電気の無い所でも簡単に海水から真水を得ることが出来る。
【課題を解決するための手段】
【００１０】海水が逆浸透膜を通過するためには海水に一定の圧力をかける必要がある。海水の入った耐圧袋を強く押さえつけて圧力を掛ける事も出来るが腕の力だけで長時間同じ圧力を掛ける事は困難であり、非実用的である。そこで圧縮コイルバネを利用することで均一圧力をかける事が出来る。
【発明の効果】
【００１１】電力を使用せずに海水を淡水化することが出来れば漁船をはじめ各種船舶で遭難時に海水から真水を得ることが出来、無人島などでも飲み水確保が容易となる。【００１２】また、電力を得ることが出来ない地域での飲料水の確保、河川や湖など、どこでも真水を得ることが出来るようになる。
【図面の簡単な説明】
【００１３】
【図１】海水淡水化装置の概略図
【図２】海水淡水化装置の側面図
【発明を実施するための形態】
【００１４】海水を淡水化するために、逆浸透膜を利用するがその為に均一の圧力をかける事が不可欠である。
【００１５】電力を用いることなく均一の圧力を効率よく掛ける装置が本発明である。海水淡水化装置の性格上大きさ、重さ、材質も手軽なものであるべきである。
【実施例１】
【００１６】［図２］は本体に硬化プラスチックを利用し、海水を入れるのにプラスチック製の耐圧袋を用いたコンパクトサイズの海水淡水化装置の側面図である。
【産業上の利用可能性】
【００１７】船舶への設置や水不足で悩む小島等での利用は勿論のこと、川や池の水も簡単に無害な飲料水として精製することが出来るので、幅広いビジネス上の利用が可能である。
【符号の説明】
【００１８】１−スクリューキャップ：２−圧縮コイルバネ：３−海水注ぎ口とキャップ：４−圧力蓋：５−プラスチック製耐圧袋：６−カーボンブロックフィルター：７−逆浸透膜：８−純水出口  ９−高濃度海水出口
【図１】
2012152728.tif 000003
【図２】
2012152728.tif 000004
(57)【要約】      （修正有）【課題】塗料を自動供給する塗装ユニットを実現する。【解決手段】表面にスポンジ１を貼り付けたベルト２をループ状にした塗装クローラ３を、回転自由に塗装バケツ７にピン８を介して取り付けられた上部の回転ローラ４と、下部の回転ローラ６で上下に張るように配置し、塗装クローラ３の上部の回転ローラ４を壁５に押し付けるようにし、下部の回転ローラ６を塗装バケツ７に浸かるようにすることにより、上下に動かすとベルト２が回転し塗料を自動で供給する。【選択図】図１
2012152729.tif 000002
【特許請求の範囲】
【請求項１】
表面にスポンジを貼り付けたベルトをループ状にした塗装クローラを、回転自由に塗装バケツにピンを介して取り付けられた上部の回転ローラと、下部の回転ローラで上下に張るように配置し、塗装クローラの上部の回転ローラを壁に押し付けるようにし、下部の回転ローラを塗装バケツに浸かるようにすることにより、上下に動かすとベルトが回転し塗料が自動で供給される塗装ユニット
【発明の詳細な説明】
【技術分野】
【０００１】  本発明は、塗料の供給回数が減らせる塗装ユニットに関するものである。
【背景技術】
【０００２】  塗装には、スプレー、刷毛塗り、ローラ塗りがあるが、スプレーは飛散、刷毛塗りは、細部塗装に向くが、時間がかかり大規模塗装に向かない。ローラは塗りやすく大量塗装に向くが、ローラに塗料を含侵させるのが煩わしいく、効率的な塗装を妨げている。
【発明の開示】
【発明が解決しようとする課題】
【０００３】  ローラに塗料を供給する際に、塗料をつけすぎてこぼすことがある。頻繁に繰り返す必要があり、面倒。塗料のローラへの保有含有量が一定になりにくい。
ローラへの塗料供給頻度を下げ、塗装効率を上げたい。
【課題を解決するための手段】
【０００４】  ベルトをループ状にし、ベルトの一端を壁に押し付け、上下させるとベルトが回転することを利用する。バケツに蓄えた塗料にベルトが浸かるよう配置すると、ベルトに自動的に塗料が供給される。
【発明の効果】
【０００５】  壁に塗装クローラを押しつけて、上下に動かし、塗装を行うと、自動的に塗料が供給され、バケツに蓄えられた塗料がなくなるまで、連続的に塗装ができ大幅な時間短縮となる。
また、スポンジの効果で壁の凹凸があってもきれいに塗装可能。
壁面から、ぶら下げて、少しの壁面方向の荷重をかけながら下ろしていくことで、塗装が可能。本装置の背面にローラをつけ、ローラにかかるよう錘をぶらさげるとか、地面にアンカーを置くことで可能。人がロープでぶら下がって作業する工法でも非常に有効。
【発明を実施するための最良の形態】
【０００６】  塗装バケツの下部に塗料を貯め、その上に、塗装クローラを配置して、塗装クローラの下が塗料に浸かるようにし、塗装クローラは上下に配置し、上下にうごかして塗装をおこなうことを基本とし、こぼれない範囲で傾けて使用する。
手で、塗装する場合は、両側に取手があれば作業がしやすい。
【実施例１】
【０００７】  表面にスポンジ０１を貼り付けたベルト０２をループ状にした塗装クローラ０３を上下に回転するよう配置し、塗装クローラ０３の上部の回転ローラ０４を壁０５に押し付けるようにし、下部の回転ローラ０６を塗装バケツ０７に浸かるように配置した塗装ユニット。
回転ローラ０４、０６は塗装バケツ０７に回転自由にピン０８で取り付けられている。
塗装バケツ０７の底部には壁０５に干渉しないように車輪０９が付いている。
本装置を壁に押し付けながら上下１１に動かすと、塗装クローラ０３が回転し、塗装バケツ０７の塗料１０がスポンジ０１に付着し、回転が続くことにより壁０５に塗布することができる。
【産業上の利用可能性】
【０００８】塗装、清掃
【図面の簡単な説明】
【０００９】
【図１】塗料自動供給型塗装ユニットの構成を示した説明図である。
【符号の説明】
【００１０】  １  スポンジ
２  ベルト
３  塗装クローラ
４  上部の回転ローラ
５  壁
６  下部の回転ローラ
７  塗装バケツ
８  ピン
９  車輪
１０  塗料
１１  上下
【図１】
2012152729.tif 000003
(57)【要約】【課題】電気自動車の駆動方式に於いて、デフギアーを使用せず、左右独立した動力源をモータにて車輪に駆動力を伝達し、安定走行、経済性、かつ環境適合を目指す電気自動車の左右独立駆動方式。【解決手段】左右に独立して設けた駆動用のモータ１の駆動力は、該モータ１に取付けたタイミングプーリー３（モータ１用）より、タイミングベルト４を介し、左右のドライブシャフト６に取付けたタイミングプーリー５（ドライブシャフト６用）に伝わり、前記左右のドライブシャフト６が駆動し、該左右のドライブシャフト６に連結した車輪２に駆動力が伝達され、車輛は駆動する事が出来る。【選択図】図１
2012090512.tif 000002
【特許請求の範囲】
【請求項１】
電気自動車に於いて、駆動力モータの動力を、直接左右の車輪に伝え駆動させる事を特徴とする電気自動車駆動方式。
【請求項２】
前記電気自動車駆動方式に於いて、モータは、左右それぞれに設け、各モータにより左車輪右車輪を、独立駆動させる事を特徴とする請求項１記載の電気自動車駆動方式。
【請求項３】
前記電気自動車駆動方式に於いて、左右車輪駆動モータはステアリングの操作に依る駆動影響を吸収する為、左右各駆動モータを制御する電子コントローラを設けた事を特徴とする請求項１及び請求項２記載の電気自動車駆動方式。
【発明の詳細な説明】
【技術分野】
【０００１】本発明は電気自動車駆動方式に関するものである。
【背景技術】
【０００２】限りある石油鉱物資源、地球温暖化、環境エコ化等により鉱物油を使用する自動車にかわりハイブリット車両、又電気自動車が実用化されつつある。しかし、まだ大半を占める鉱物油を燃料とする車両のエンジン出力は、プロペラシャフト等により、デフギアー（差動歯車）に伝えられ、それから左右の車輪に、振り分けられ伝える機構を有し、電気自動車に於いても、一つの駆動モータの動力はモータ軸より、ギアー、タイミングベルト、又はチエーン等により、左右のドライブシャフト、該ドライブシャフトに連結する車輪に、デフギアーを介して振り分け駆動が伝わる、前記同様の機構を有している。【０００３】以上の通りデフギアーは自動車の車輪駆動方式として最も多く使用されている動力伝達方式である。そして自動車がカーブを曲がる際に生じる、内側と外側の、車輪の回転速度差を吸収し、動力源からのトルクを左右の車輪に振り分け伝える事が出来る。
【発明の概要】
【発明が解決しようとする課題】
【０００４】しかし前記機構には問題点もある。それは構造上どちらかの車輪付加が無付加状態、又はそれに近い状態になった場合、該車輪を空回りさせ他方の付加状態の車輪を回転させる事は出来ない。この問題を解決する手段として、リミテット．スリップ．デフレンシャル機構が考えられ、これにより路面条件による問題は解決されたかに見えるが、該リミテット．スリップ．デフレンシャル機構はメンテナンスでの費用等により、一般車両には、極限られて使用されている事も事実である。【０００５】電気自動車に於いても、一つの駆動モータの動力はモータ軸より、ギアー、タイミングベルト又はチエーン等により、左右のドライブシャフトに連結した車輪に、デフギアーを介して振り分け駆動力が伝わる、前記同様の機構を有しており、該デフギアーの問題は解決しなければならない課題である。
【課題を解決する手段】
【０００６】本発明は、電気自動車において、走行性、安全性に優れたリミテッド．スリップ．デフレンシャル機構に、デフギアーを使用せず左右ドライブシャフトを、それぞれ独立した一つのモータでタイミングベルトを介して駆動する機構を構成している。
【発明の効果】
【０００７】左右車輪をそれぞれ独立したモータで駆動し、デフギアーを使用しないため、左右の車輪はそれぞれ反対側の車輪の状態に影響されず、又路面状態に依る変化対しても、優れた駆動が得られる。
【０００８】又、同様にその適確な駆動伝達により、車両がコーナリングする際にも、安定した走行が出来る。
【０００９】さらにデフギアーを使用しない事により、車両の軽量化に依る走行距離性能、ブレーキ性能の向上が見込まれ、又、伝達機構部品の省略化に依る車両のコストダウン、メンテナンスの簡素化、さらに故障の減少も期待できる。
【図面の簡単な説明】
【００１０】
【図１】本発明の左右独立駆動方式を示す構成図。
【図２】現行のデフギアーを使用したモータ駆動方式の構成図。
【発明を実施するための形態】
【００１１】デフギアーを使用せず左右ドライブシャフトを、それぞれ独立した一つのモータでタイミングベルトを介して駆動する機構を実現した。
【実施例】
【００１２】本発明の実施例を図１及び図２に依って説明する。
左右に独立して設けた駆動用のモータ１の駆動力は、該モータ１に取付けたタイミングプーリー３（モータ１用）より、タイミングベルト４を介し、左右のドライブシャフト６に取付けたタイミングプーリー５（ドライブシャフト６用）に伝わり、前記左右のドライブシャフト６が駆動し、該左右のドライブシャフト６に連結した車輪２に駆動力が伝達される。【００１３】又、ステアリングの操作に依る変化対応を左右それぞれのモータ１に伝え、より確実な安定を保つため、ハンドル７の操舵情報を電子コントローラー９で制御できる。
【符号の説明】
【００１４】１：モータ
２：車輪
３：タイミングプーリー（モータ１用）
４：タイミングベルト
５：タイミングプーリー（ドライブシャフト６用）
６：ドライブシャフト
７：ハンドル
８：デフギアー
９：電子コントローラー
【図１】
2012090512.tif 000003
【図２】
2012090512.tif 000004
(57)【要約】【課題】  １ｋｍ／ｈ程度の極低速での一定速運転を行い、かつ負荷の変動に対してもダイナミックな応答を提供できる定速制御方法を有する電気車用制御装置を提供することである。【解決手段】  車軸に取付けられ、車輪を駆動するための駆動力を生成する主電動機２〜７と、車軸ごとに取り付けられた主電動機２、３、４、５、６、７の個別制御を行う制御ユニット８９、１０、１１、１２、１３と、目標速度を現在速度に対し比例積分制御を行い、そのうち積分制御を列車制御監視システムの持つ編成共通の速度情報で行い、比例制御を各制御単位の速度センサで行う列車制御監視システム１を有する。【選択図】  図１
2012090381.tif 000002
【特許請求の範囲】
【請求項１】
車軸に取付けられ、車輪を駆動するための駆動力を生成する主電動機と、
車軸ごとに取り付けられた前記主電動機の個別制御を行う制御ユニットと、
目標速度を現在速度に対し比例積分制御を行い、そのうち積分制御を列車制御監視システムの持つ編成共通の速度情報で行い、比例制御を各制御単位の速度センサで行う列車制御監視システムと、
を有する電気車用制御装置。
【請求項２】
車軸に取付けられ、車輪を駆動するための駆動力を生成する主電動機と、
台車ごとに取り付けられた前記主電動機の台車制御を行う制御ユニットと、
目標速度を現在速度に対し比例積分制御を行い、そのうち積分制御を列車制御監視システムの持つ編成共通の速度情報で行い、比例制御を各制御単位の速度センサで行う列車制御監視システムと、
を有する電気車用制御装置。
【発明の詳細な説明】
【技術分野】
【０００１】
本発明の実施形態は、電気車用制御装置に関する。
【背景技術】
【０００２】
従来、列車が一定の速度で走行する定速運転をする場合、制御方法は分散制御または比例制御を行っている。分散制御では、最初に遅い（速度が小さい）と認識した制御単位のみでトルクを出力してしまうため、現在では比例制御を採用することが多い。
【先行技術文献】
【特許文献】
【０００３】
【特許文献１】特開２０１０−１５４７１９号公報
【発明の概要】
【発明が解決しようとする課題】
【０００４】
しかしながら、比例制御のみ定速運転を行う場合、トルクが安定せず、精度が悪くなりやすい。±２ｋｍ／ｈ程度の速度誤差なら比例制御で十分であったが、低速になるほど実際の速度に対して速度誤差の割合が大きくなるため改善が求められる。
【０００５】
そこで、本発明が解決しようとする課題は、１ｋｍ／ｈ程度の極低速での一定速運転を行い、かつ負荷の変動に対してもダイナミックな応答を提供できる定速制御方法を有する電気車用制御装置を提供することである。
【課題を解決するための手段】
【０００６】
実施形態の電気車用制御装置は、車軸に取付けられ、車輪を駆動するための駆動力を生成する主電動機と、車軸ごとに取り付けられた主電動機の個別制御を行う制御ユニットと、目標速度を現在速度に対し比例積分制御を行い、そのうち積分制御を列車制御監視システムの持つ編成共通の速度情報で行い、比例制御を各制御単位の速度センサで行う列車制御監視システムとを有している。
【図面の簡単な説明】
【０００７】
【図１】第１の実施形態の電気車用制御装置の全体構成を示す図。
【図２】第２の実施形態の電気車用制御装置の全体構成を示す図。
【発明を実施するための形態】
【０００８】
以下、実施形態の制御装置を図面を参照して説明する。
【０００９】
（第１の実施形態）
第１の実施形態について図を参照し、詳細に説明する。
【００１０】
（構成）
図１に示すように、本実施形態は１両１００あたり主電動機（２〜７）とそれに対応する制御ユニット６台（７〜１３）、制御ユニットを統括する列車制御監視システム１台（１）を有する。電気車ごとの編成速度は各列車制御監視システムで記録し、軸ごとのインバータはそれぞれに対応する制御ユニットが制御する。また、重連の場合は同じ構成の電気車を使用する
（作用）
このように構成された電気車において、定速安定化のため比例積分制御を行う。本実施形態によれば、第１列車制御監視システム１によって電気車内を統括し、電気車ごとに共有している編成速度を記録する。また、軸単位のインバータとこれに対応する制御は個別に制御ユニットによって制御する。ここで、比例積分制御のうち積分制御には前者の第１列車制御監視システム１の持つ編成速度を用い、比例制御には後者の各インバータが制御する主電動機２〜６の速度センサからのフィードバックを用いる。比例積分微分制御を行った場合も趣旨は同じである。
【００１１】
これにより積分値が全制御単位で共通となるため負担の偏りを最小化できる。また、比例制御を自前で行うため負荷変動に対して応答が速く、速やかに目標速度に戻る。
【００１２】
（効果）
以上述べた実施形態の制御装置によれば、１ｋｍ／ｈ程度の極低速での一定速運転を行い、かつ負荷の変動に対してもダイナミックな応答を提供できる定速制御方法を得ることが可能となる。また、電気車の中でも、機関車を重連して貨車を引くような場合にも、負荷の偏りを最小にして、かつ速度誤差をなくす。例えば、運転中に貨物を積んでいくような場合、その都度増えていく負荷に対しても素早く目標速度に達すること、かつ低速になるほど絶対値として小さな速度誤差であることが求められる。    
（第２の実施形態）
第２の実施形態について図を参照し、詳細に説明する。尚、図１と同一の構成をとるものについては、同符号を付して説明を省略する。
【００１３】
図２に示すように、車体１００には第２列車制御監視システム２０が１台、第７制御ユニット、第８制御ユニットで２台、主電動機２〜７の６台が搭載される。制御ユニットは台車ごとのインバータとこれに対応する制御を行う。第１の実施形態と同様、編成速度を積分に、各軸速度を比例制御に用いることで負荷の偏りを最小化し、かつ負荷変動に対して速やかに目標速度へ戻せる。
【符号の説明】
【００１４】
１  第１列車制御監視システム
２  第１主電動機
３  第２主電動機
４  第３主電動機
５  第４主電動機
６  第５主電動機
７  第６主電動機
８  第１制御ユニット
９  第２制御ユニット
１０  第３制御ユニット
１１  第４制御ユニット
１２  第５制御ユニット
１３  第６制御ユニット
２０  第２列車制御監視システム
２１  第７制御ユニット
２２  第８制御ユニット
１００  車体
【図１】
2012090381.tif 000003
【図２】
2012090381.tif 000004
(57)【要約】【課題】冬の寒い時期などに、何枚も掛け布団を掛けても足元が冷えるのを解消するために、遮断熱材入り掛け布団を提供する。【解決手段】掛け布団１の中綿２と中綿３の間に遮断熱材４を入れ込むことにより、冷気が布団の中に入り込まず、体温も逃げずに掛け布団の中の温度を暖かく保温して使用できるようにして体内からの発汗を中綿２が吸収して、冷気を中綿３にて和らげるようにする。【選択図】図３
2012090936.tif 000002
【特許請求の範囲】
【請求項１】
掛け布団１の中綿２と中綿３の間に、遮断熱材４を入れ込んである遮断熱材入り掛け布団。
【発明の詳細な説明】
【技術分野】
【０００１】本発明は、足元の冷えを解決するために、掛け布団の厚みが薄くても、遮断熱材を入れる事により軽量で冷気が入らなく暖かくて快眠できる様にしたものである。
【背景技術】
【０００２】従来は、軽量で薄くても足元が暖かい掛け布団はなかった。
【先行技術文献】
【０００３】特開２００６−５１０９３号公報
特開平０７−２１３４０２号公報
【発明の概要】
【発明が解決しようとする課題】
【０００４】冬の寒い時期などに何枚も掛け布団を掛けても足元が冷えるという難点があり、靴下を履いていたりしていた。本発明は、この課題を解消するためになされたものである。
【課題を解決するための手段】
【０００５】掛け布団１の中綿２と中綿３の間に、遮断熱材４を入れ込む事によって、冷気が布団の中に入り込まず、体温も逃げずに布団の中の温度を暖かく保温して使用できるようにした。
【発明の効果】
【０００６】寒い時期に、敷き布団を厚くして、掛け布団が薄くて軽量でも中綿２と中綿３の間に、遮断熱材４が入っていることにより足元が冷えるのを防げる効果があり、体内からの発汗を中綿２が吸収して、冷気を中綿３にて和らげる。
【図面の簡単な説明】
【０００７】
【図１】本発明の平面図である。
【図２】本発明の断面図である。
【図３】本発明の使用状態を示す断面図である。
【発明を実施するための形態】
【０００８】以下、本発明の実施の形態について説明する。
掛け布団１の中綿２と中綿３の間に遮断熱材サーモプロテクト等の材質４を入れ込んである。
【符号の説明】
【０００９】１  掛け布団
２  中綿
３  中綿
４  遮断熱材
【図１】
2012090936.tif 000003
【図２】
2012090936.tif 000004
【図３】
2012090936.tif 000005
(57)【要約】      （修正有）【課題】枕元にリモコンや携帯電話等の小さな機器を置くと布団の中に埋没しやすかった。ベッド周りに設けた棚や机、サイドポケット、又布団の場合は布団の周りの床にこれらの機器を置いても遠く不便に感じる事があった。同様に小さな機器以外のものでも枕元付近に置いておきたいものはあるが、埋没しやすい。【解決手段】帯状や筒状の布に布団やベッドの幅部分にポケット１を付け、厚みの違う寝具に装着することを可能にした小物収納用枕元ポケット１。【選択図】図１
2012090933.tif 000002
【特許請求の範囲】
【請求項１】
帯状の布に寝具の左右端部分にくる位置に、収納ポケットをつけ、枕元付近に布団やベッドマットの厚さにあわせて巻き付けて留めるように設け、寝床で使用したい小物をポケットに収納するようにしたことを特徴とした枕元ポケット。
【請求項２】
布を筒状にした請求項１の枕元ポケット。
【発明の詳細な説明】
【技術分野】
【０００１】本発明は寝床に置きたいリモコンや携帯電話等の小さな機器又は本やティッシュ等の小物を整理して収納する枕元ポケットに関するものである。
【背景技術】
【０００２】従来、寝床で使用したい各種リモコンや携帯電話等の小さな機器又は本やティッシュボックス等を置く場合、枕元に置くか、ベッドサイドに棚等を設けるか、ポケットを付けて（特許文献１、２）収納するか、又布団を使用している方は布団周りの床に置いたりしていた。
【先行技術文献】
【特許文献】
【０００３】
【特許文献１】特開２０１０−６８９０６号公報
【特許文献２】特開平１１−７００３３号公報
【発明概要】
【発明が解決しようとしている課題】
【０００４】枕元にたくさんのものを置くと、いつの間にか布団の中に埋没し、使いたいときにすぐに使えなくなる。ベッドサイドの棚やポケット、もしくは布団を使用している方は布団周りの床に置くのでは取るのに遠く感じる方もいる。本発明は以上の問題点を解決するためになされたものである。
【課題を解決するための手段】
【０００５】帯状の布に寝具の左右端部分にくる位置に、収納ポケットをつけ、枕元付近に布団やベッドマットの厚さにあわせて巻き付けて留めるように設け、寝床で使用したい小物をポケットに収納するようにしたことを特徴とした枕元ポケット。
【発明の効果】
【０００６】従来、布団の中に埋没しがちだった小さな機器や小物をきちんと整理して枕元に置いておくことができ、使用したいとき直ぐに取り出せ使用できるので便利である。本発明は帯状又は筒状なので厚さの違う布団にもベッドにも装着でき、取り外し洗うこともできるので簡単に清潔に保つことができて便利である。
【図面の簡単な説明】
【０００７】
【図１】本発明の使用状態を示す斜視図
【図２】本発明の使用例図
【図３】本発明の帯状の布を示す平面図
【図４】本発明の筒状布の斜視
【図５】本発明のポケットを増やした場合の一例
【発明を実施するための形態】
【０００８】    以下、本発明の実施の形態を説明する。
（イ）帯状の場合、ベルト部分（２）に両サイドのポケット（１）が、布団やベッド          マット（３）に巻き付けたときに表面の左右端に出るように設ける。ベルト部          分（２）に裏面面テープ（６）と表面面テープ（７）を設け布団やベッドマッ          ト（３）の厚さにあわせて調整出来るようにする。（ボタン等でも良い）
（ロ）筒状の場合、筒状布（８）に両サイドのポケット（１）が、布団やベッドマッ          ト（３）に巻き付けたときに表面の左右端に出るように設ける。全体が伸縮性          のある生地を使用するか、裏面に伸縮性のある生地を使用するかゴムか紐で布          団やマットの厚さに調整できるようになっているので、布団やベッドマット（          ３）の先端に被せて装着させる。
（ハ）ポケットを増やす場合、ベルト部分（２）の幅を太くして増やすか、布ベルト          の上下に取り付ける。（図５の（９））
本発明は、以上のような構造である。
本発明を使用するときは、帯状の場合、布ベルト部分（２）を枕元付近にくるよう布団やマットに巻き付け、裏面面テープ（３）に厚さにあわせて表面面テープ（４）を貼る。（ボタン等で留める場合も同じ）。筒状の布（８）の場合は全体が伸縮性のある生地を使用するか、裏面に伸縮性のある生地を使用するかゴムか紐で布団やマットの厚さに調整できるようになっているので、布団やベッドマット（３）の先端に被せて装着させる。ポケット（１）（９）には、寝床で使用したい小さな機器（各種リモコンや携帯電話、小型音楽プレーヤー等）や、本、ティッシュ他を収納し、直に置いて布団の中に埋没しがちだった物を整理する。
【符号の説明】
【０００９】    １ポケット、２ベルト部分、３布団又はベッドマット、４枕、５収納したい小物、６裏面面テープ、７表面面テープ、８筒状の布、９上下に増やしたポケット
【図１】
2012090933.tif 000003
【図２】
2012090933.tif 000004
【図３】
2012090933.tif 000005
【図４】
2012090933.tif 000006
【図５】
2012090933.tif 000007
(57)【要約】【課題】現在販売されている自動洗濯機は風呂水を利用するための風呂水給水ポンプ内臓タイプが大半であるが実際は出し入れ床拭き等面倒である。尚且つ洗濯中はホースが邪魔して浴室ドアーが閉まらない。【解決手段】給水ホースを壁の中に通し先端に着いている浄化フイルターを浴槽の中に入れっぱなしでも解決するがホースの耐久性、浴槽の中に汚れたフイルターが常時あり精神的に苦痛、浴室の壁からホースがだらりと出ているのは見栄えの問題あり    本発明はこれらの問題を解決するものである【選択図】図３
2012090937.tif 000002
【特許請求の範囲】
【請求項１】
浴槽につける追い炊き用循環アダプター（浴槽アダプター）に穴を３ケ以上あけそれぞれに配管パイプ類が接続出来るようにパイプをつける。
【発明の詳細な説明】
【発明の概要】
【発明が解決しようとする課題】洗濯の度に給水ホースを出し入れしなくて済む方法
【課題を解決するための手段】浴槽についている循環アダプターに３ケ以上のあなをあけ２ケは追い炊きに使い１ケは風呂水給水パイプをつなぎ壁内配管にて洗濯機上部まで配管してフイルターを経由後風呂水給水口に接続
【選択図】
図１
【発明の効果】
すでに給水ホースは接続されているため▲１▼〜▲３▼までの一連の動作が不要、さらに他の者が浴室を利用していても浴室のドアがピタリと閉めることができるため洗濯時間を自由に出来る
【図面の簡単な説明】    循環アダプターの２ケの穴は給湯器に接続残りの穴に洗濯機の蛇口の横まで配管により接続、その先にフイルター機能をもたせたＢＯＸをつけ洗濯機の風呂水給水口に接続
【選択図】
図２
【背景技術】風呂水給水するには循環アダプターに３ケ以上あなをあけなくても追い炊き用のパイプの途中に給水パイプを接続するだけで達成しますが、このままでは浴槽の自動お湯張りを実行しますと洗濯機の方にもお湯が流れしいては、給湯器がエラー表示して停止します
これを防止するには洗濯機の上部に蛇口をつけて洗濯の時はあける終わったら閉めるを確実に実行する必要があります。
【発明の効果】
本発明品を利用すれば簡単に低価格で風呂水の再利用ができ水道代の節約と下水処理費軽減さらに上水道の使用量を減らしＣＯ２の削減等地球環境に貢献する発明品である。
【図１】
2012090937.tif 000003
【図２】
2012090937.tif 000004
【図３】
2012090937.tif 000005
【手続補正書】
【提出日】平成23年2月23日(2011.2.23)
【手続補正１】
【補正対象書類名】明細書
【補正対象項目名】全文
【補正方法】変更
【補正の内容】
【発明の詳細な説明】
【発明の概要】
【発明が解決しようとする課題】風呂の残り湯を風呂水給水ポンプ内臓型洗濯に再利用する際給水ホースを出し入れしなくて済む装置
【課題を解決するための手段】浴槽についている浴槽アダプターは追い炊きのためにお湯の往きと戻りの二つの穴を利用してお湯を循環して温めいます。
本発明品は浴槽アダプターに３ヶ以上の穴を開け２ヶは循環に使用し残りは洗濯機の上部まで配管するための接続口を設けます。
〔選択図〕
図２
【発明の効果】
【０００１】洗濯機の給水ホースはすでに浴槽の中にありますからホースの出し入れをしなくて済む。
ホースの出し入れがないから床が濡れない。
浴室のドアーがピタリと閉める事が出来るから浴室を利用できる。【０００２】本発明品を利用すれば簡単に風呂の残り湯が再利用でき水道代の節約と下水処理費の軽減又社会的には上水道製造コスト、下水処理のコストＣＯ２削減等地球環境に貢献する発明品である。
【背景技術】風呂水給水するには追い炊き用パイプの途中で分岐して洗濯機の給水口へ接続するだけで達成しますが、このままでは浴槽のお湯張りや追い炊きを実行しますと洗濯機の方にもお湯が流れしいては、給湯器がエラー表示して停止します。これを防止するには洗濯機の近くにバルブを設け洗濯の時は開け終われば閉めるを確実に実行する必要があります。
【図面の簡単な説明】
【図１】本発明品を浴槽に取付け正面から見た図である。
【図２】本発明品を浴槽に取付け側面から見た図である。
【図３】本発明品を浴槽に取付け上から見た図である。
【図４】本発明品を浴槽に取付け洗濯機とつないだ全体図である。このような接続の結果風呂の残り湯を利用するとき給水ホースの出し入れを省く事ができるすぐれた発明品である。
【手続補正２】
【補正対象書類名】図面
【補正対象項目名】全図
【補正方法】変更
【補正の内容】
【図１】
2012090937.tif 000006
【図２】
2012090937.tif 000007
【図３】
2012090937.tif 000008
【図４】
2012090937.tif 000009
(57)【要約】      （修正有）【課題】角杓子本体の先端に、角部を設け、鍋底の角部の食材を簡単に掬えるようにした角杓子を提供する。【解決手段】角杓子本体１の先端に角部２を設けたことを特徴とする。【選択図】図１
2012090931.tif 000002
【特許請求の範囲】
【請求項１】
角杓子本体（１）の先端に、角部（２）を設け、鍋底の角部の食材を簡単に掬えるように工夫したことを特徴とする角杓子。
【発明の詳細な説明】
【技術分野】
【０００１】  本発明は、角杓子本体の先端に、角部を設け、鍋底の角部の食材を簡単に掬えるように工夫したことを特徴とする角杓子に関するものである。
【背景技術】
【０００２】  従来、杓子の掬う部分は、丸形が一般的で、角形の杓子はなかった。
【発明の概要】
【発明が解決しようとする課題】
【０００３】  これは次のような欠点があった。
鍋底が角形の鍋は、角部に残った食材を、掬うことができなかった。
鍋底が角形の鍋は、鍋底の角部にある食材が残っていた。
本発明は、以上のような欠点をなくするためになされたものである。
【課題を解決するための手段】
【０００４】  本発明は、角杓子本体（１）の先端に、角部（２）を設ける。
以上のように構成された角杓子である。
【発明の効果】
【０００５】  鍋底が角形のため、掬うことができなかった鍋も、角杓子で掬うことができる。
【図面の簡単な説明】
【０００６】
【図１】  本発明の斜視図である。
【図２】  本発明の使用状態を示した説明図である。
【発明を実施するための形態】
【０００７】  以下、本発明を実施するための形態について説明する。
角杓子本体（１）の先端に、角部（２）を設ける。
鍋底の角部の食材を簡単に掬えるように工夫した。
以上のように構成された角杓子である。
本発明の使い方を説明する。
角杓子本体（１）で、鍋底に角杓子の角部（２）を当て鍋底の角部に残った食材を掬う。
【符号の説明】
【０００８】  １  角杓子本体
２  角部
【図１】
2012090931.tif 000003
【図２】
2012090931.tif 000004